(57)【要約】【課題】  コンポジットビデオ信号から輝度信号とクロマ信号とを分離する回路において、輝度信号の中高域成分のレベルが低く且つクロマ信号のレベルが徐々に変化する場合のドット妨害を抑制する。【解決手段】  コンポジットビデオ信号（Ｙ＋Ｃ）を所定水平期間ずつ順次遅延させる遅延手段２，３を含んだコムフィルタと、信号（Ｙ＋Ｃ）からサブキャリア周波数の帯域成分を取出すＢＰＦ２５と、コムフィルタの出力Ｘ，Ｙ，ＷとＢＰＦ２５の出力Ｚとを切換えて出力する切換手段２６と、信号（Ｙ＋Ｃ）の垂直相関性の検出結果に基づいて切換手段２６を制御する演算手段４３とを有するＹ／Ｃ分離回路に、切換手段２６の出力と信号Ｚとを混合する混合手段７１，７２及び７３と、信号（Ｙ＋Ｃ），遅延手段２３の出力に基づいて輝度信号の中高域成分のレベルを検出し、中高域成分のレベルが低いほど信号Ｚの混合比が高くなるようにこの混合手段を制御するレベル検出手段８０とを備え、遅延手段２の出力とこの混合手段の出力との差分を輝度信号Ｙとする。【選択図】  図１
2005295397.tif 000002
【特許請求の範囲】
【請求項１】
入力コンポジットビデオ信号を所定水平期間ずつ順次遅延させる第１，第２の遅延手段を含んだコムフィルタと、
前記入力コンポジットビデオ信号からカラーサブキャリア周波数の帯域の成分を取り出すバンドパスフィルタと、
前記コムフィルタの出力信号と前記バンドパスフィルタの出力信号とを切り換えて出力する切換手段と、
前記入力コンポジットビデオ信号の垂直相関性を検出する垂直相関検出手段と、
前記垂直相関検出手段の検出結果に基づいて前記切換手段を制御する演算手段と
を有するＹ／Ｃ分離回路において、
前記切換手段の出力信号と前記バンドパスフィルタの出力信号とを混合する混合手段と、
前記入力コンポジットビデオ信号，前記第１の遅延手段の出力信号，前記第２の遅延手段の出力信号に基づき、輝度信号の中高域成分のレベルを検出し、該中高域成分のレベルが低いほど前記バンドパスフィルタの出力信号の混合比が高くなるように前記混合手段を制御するレベル検出手段と
を備え、前記第１の遅延手段の出力信号と前記混合手段の出力信号との差分を輝度信号として出力するようにしたことを特徴とするＹ／Ｃ分離回路。
【請求項２】
請求項１に記載のＹ／Ｃ分離回路において、
前記レベル検出手段は、カラーサブキャリア周波数以外の周波数成分のレベルを前記中高域成分のレベルとして検出するとともに、クロマ信号のレベルと輝度信号のレベルとの差分を検出し、該差分が小さい場合には、前記中高域成分のレベルが低くても、前記バンドパスフィルタの出力信号の混合比が低くなるように前記混合手段を制御することを特徴とするＹ／Ｃ分離回路。
【請求項３】
請求項１に記載のＹ／Ｃ分離回路において、
前記レベル検出手段は、さらに、前記入力コンポジットビデオ信号及び前記第１の遅延手段の出力信号の加算結果と、前記第１の遅延手段の出力信号及び前記第２の遅延手段の出力信号の加算結果とに基づいて、クロマ信号の垂直方向の非相関性を検出し、該非相関性が一定以下である場合には、前記バンドパスフィルタの出力信号の混合比がゼロになるように前記混合手段を制御することを特徴とするＹ／Ｃ分離回路。
【請求項４】
請求項１に記載のＹ／Ｃ分離回路において、
前記切換手段の出力信号をクロマ信号として出力することを特徴とするＹ／Ｃ分離回路。
【請求項５】
請求項１に記載のＹ／Ｃ分離回路において、
前記コムフィルタの出力信号のみを切り換えて出力する第２の切換手段
をさらに備え、
前記演算手段は、前記垂直相関検出手段の検出結果に基づいて前記第２の切換手段をも制御し、
前記第２の切換手段の出力信号をクロマ信号として出力することを特徴とするＹ／Ｃ分離回路。
【請求項６】
請求項１に記載のＹ／Ｃ分離回路において、
前記入力コンポジットビデオ信号の水平相関性を検出する水平相関検出手段
をさらに備え、
前記演算手段は、前記垂直相関検出手段及び前記水平相関検出手段の検出結果に基づいて前記切換手段を制御することを特徴とするＹ／Ｃ分離回路。
【請求項７】
入力コンポジットビデオ信号から輝度信号とクロマ信号とを分離し、前記輝度信号及び前記クロマ信号を信号処理して画像を表示する画像表示装置において、
前記輝度信号とクロマ信号とを分離するＹ／Ｃ分離回路は、
入力コンポジットビデオ信号を所定水平期間ずつ順次遅延させる第１，第２の遅延手段を含んだコムフィルタと、
前記入力コンポジットビデオ信号からカラーサブキャリア周波数の帯域の成分を取り出すバンドパスフィルタと、
前記コムフィルタの出力信号と前記バンドパスフィルタの出力信号とを切り換えて出力する切換手段と、
前記入力コンポジットビデオ信号の垂直相関性を検出する垂直相関検出手段と、
前記垂直相関検出手段の検出結果に基づいて前記切換手段を制御する演算手段と、
前記切換手段の出力信号とバンドパスフィルタの出力信号とを混合する混合手段と、
前記入力コンポジットビデオ信号，前記第１の遅延手段の出力信号，前記第２の遅延手段の出力信号に基づいて輝度信号の中高域成分のレベルを検出し、該中高域成分のレベルが低いほど前記バンドパスフィルタの出力信号の混合比が高くなるように前記混合手段を制御するレベル検出手段と
を備え、前記第１の遅延手段の出力信号と前記混合手段の出力信号との差分を輝度信号として出力するようにしたことを特徴とする画像表示装置。
【発明の詳細な説明】
【技術分野】
【０００１】
本発明は、例えばテレビジョン受信機のような画像表示装置等に設けられるＹ／Ｃ分離回路に関する。
【背景技術】
【０００２】
コンポジットビデオ信号から輝度信号とクロマ信号とを分離する方法としては、従来から、バンドパスフィルタを用いる方法と、コムフィルタを用いる方法が存在している。
【０００３】
バンドパスフィルタを用いる方法は、輝度信号にクロマ信号を重畳させているカラーサブキャリア周波数（例えばＮＴＳＣ方式では３．５８ＭＨｚ±５００ｋＨｚ）の帯域の成分をバンドパスフィルタで取り出すことによってクロマ信号を分離するものである。しかし、この方法では、輝度信号にもカラーサブキャリア周波数と同じ周波数の高域成分が含まれている場合、分離されるクロマ信号にこの輝度信号の高域成分が漏れ込むので、クロスカラー（ストライプ状の絵柄等に虹のような色のちらつきが現れる現象）が発生して画質が低下してしまう。
【０００４】
他方、コムフィルタは、カラーサブキャリアの位相関係（例えばＮＴＳＣ方式では、カラーサブキャリアの位相が１水平期間毎に１８０°ずれること）と、垂直相関性（隣り合う走査線同士で信号の波形が近似すること）とを利用して、隣り合う２本または３本の走査線の信号から輝度信号を相殺することによってクロマ信号を分離するものである。
【０００５】
図８は、隣り合う２本の走査線の信号からクロマ信号を分離するコムフィルタ（２ラインコムフィルタ）の構成を示す。入力端子２０１に入力したコンポジットビデオ信号（Ｙ＋Ｃ）が、遅延線（１ＨＤＬ）２０２によって１水平期間遅延される。そして、減算器２０３で、入力コンポジットビデオ信号（Ｙ＋Ｃ）から、遅延線（１ＨＤＬ）２０２の出力信号が減算される。これにより、隣り合う２本の走査線の信号同士の差分が取られる。
【０００６】
減算器２０３の出力信号は、図示しないゲインコントローラでゲインを２分の１に調整され、バンドパスフィルタ２０４によってカラーサブキャリア周波数の近傍以外の周波数帯域の成分を除去された後、クロマ信号Ｃとして出力端子２０５から出力される。
【０００７】
また、減算器２０７で、バンドパスフィルタ２０４等の信号遅延に相当する時間だけ遅延線（ＤＬ）２０６によって遅延された入力コンポジットビデオ信号（Ｙ＋Ｃ）から、バンドパスフィルタ２０４の出力信号が減算される。そして、この減算器２０７の出力信号が、輝度信号Ｙとして出力端子２０５から出力される。
【０００８】
しかし、コムフィルタは、垂直相関性を利用するものなので、垂直相関性がない場合には輝度信号とクロマ信号とを良好に分離することはできない。
【０００９】
例えば、輝度信号のレベルが一定で、途中の走査線からクロマ信号の位相が反転（補色に変化）するような場合には、その走査線においてクロマ信号の垂直相関性がなくなる。このとき、図８の減算器２０３で隣り合う２本の走査線の信号同士の差分をとってもクロマ信号が十分に取り出されないので、クロマ信号Ｃのレベルが低下してしまう。また、図８の減算器２０７から出力される輝度信号Ｙのほうにクロマ信号成分が漏れ込むので、ドット妨害（色の変わり目に点状のノイズが現れる現象）が発生して画質が低下してしまう。
【００１０】
あるいはまた、途中の走査線から輝度信号の垂直相関性がなくなった場合には、図８の減算器２０３で隣り合う２本の走査線の信号同士の差分をとっても輝度信号が相殺されずに残ってしまう。そして、その輝度信号にカラーサブキャリア周波数の近傍の高域成分が含まれていた場合には、図８のバンドパスフィルタ２０４によってもこの輝度信号の高域成分が除去されず、クロマ信号Ｃにこの輝度信号の高域成分が漏れ込むので、クロスカラーが発生して画質が低下してしまう。
【００１１】
このように、バンドパスフィルタを用いる方法，コムフィルタを用いる方法のいずれにも、輝度信号とクロマ信号とを良好に分離できない場合がある。これに対し、垂直相関性やさらには水平相関性を検出し、その検出結果に応じてコムフィルタとバンドパスフィルタとを使い分けることにより、輝度信号とクロマ信号とを良好に分離しようとするＹ／Ｃ分離回路も提案されている（例えば、特許文献１，２参照。）。
【００１２】
図９は、そうしたＹ／Ｃ分離回路の構成例を示す。入力端子１に入力したコンポジットビデオ信号（Ｙ＋Ｃ）が、遅延線（１ＨＤＬ）２によって１水平期間遅延された後、遅延線３によってさらに１水平期間遅延される。また、入力コンポジットビデオ信号（Ｙ＋Ｃ）信号，遅延線２の出力信号，遅延線３の出力信号から、バンドパスフィルタ（ＢＰＦ）６，８，１０によってそれぞれカラーサブキャリア周波数の近傍以外の周波数帯域の成分が除去される。
【００１３】
そして、減算器４でバンドパスフィルタ８の出力信号ｂからバンドパスフィルタ６の出力信号ａが減算され、減算器４の出力信号がゲインコントローラ７５でゲインを２分の１に調整される。このゲインコントローラ７５の出力信号Ｘは、隣り合う３本の走査線のうちの下側の２本の走査線の信号からクロマ信号を分離したもの（図８のクロマ信号Ｃと同様な信号）となる。
【００１４】
また、減算器５でバンドパスフィルタ８の出力信号ｂからバンドパスフィルタ１０の出力信号ｃが減算され、減算器５の出力信号がゲインコントローラ７６でゲインを２分の１に調整される。このゲインコントローラ７６の出力信号Ｙは、隣り合う３本の走査線のうちの上側の２本の走査線の信号からクロマ信号を分離したものとなる。
【００１５】
また、ゲインコントローラ７５の出力信号とゲインコントローラ７６の出力信号とが加算器３１で加算され、加算器３１の出力信号がゲインコントローラ７７でゲインを２分の１に調整される。このゲインコントローラ７７の出力信号Ｗは、隣り合う３本の走査線の信号からクロマ信号を分離したものとなる。
【００１６】
これらの遅延線２，３，バンドパスフィルタ６，８，１０，減算器４，５，加算器３１，ゲインコントローラ７５〜７７で、隣り合う３本の走査線の信号からクロマ信号を分離するコムフィルタ（３ラインコムフィルタ）が構成されている。
【００１７】
また、バンドパスフィルタ８の出力信号ｂから、カラーサブキャリア周波数の帯域の成分がバンドパスフィルタ２５で取り出される。このバンドパスフィルタ２５が、従来から輝度信号とクロマ信号とを分離するために用いられているバンドパスフィルタに該当する。ゲインコントローラ７５，７６，７７の出力信号Ｘ，Ｙ，Ｗと、バンドパスフィルタ２５の出力信号Ｚとは、４入力１出力の切換スイッチ２６に入力する。
【００１８】
他方、加算器１１で、バンドパスフィルタ６の出力信号ａとバンドパスフィルタ８の出力信号ｂとが加算される。加算器１１の出力信号（ａ＋ｂ）は、絶対値回路（ＡＢＳ）１３で絶対値化された後、ローパスフィルタ（ＬＰＦ）４１で平滑化される。そして、ローパスフィルタ４１の出力信号ｘが、演算部４３に供給される。
【００１９】
また、加算器１２で、バンドパスフィルタ８の出力信号ｂとバンドパスフィルタ１０の出力信号ｃとが加算される。加算器１２の出力信号（ｂ＋ｃ）は、絶対値回路１６で絶対値化された後、ローパスフィルタ４２で平滑化される。そして、ローパスフィルタ４２の出力信号ｙが、演算部４３に供給される。
【００２０】
また、バンドパスフィルタ６，８，１０の出力信号ａ，ｂ，ｃが、それぞれ絶対値回路４４，４５，４６で絶対値化される。そして、絶対値回路４４，４５，４６の出力信号|ａ|，|ｂ|，|ｃ|が、演算部４３に供給される。
【００２１】
これらの加算器１１，１２，絶対値回路１３，１６，４４〜４６，バンドパスフィルタ６，８，１０，減算器４，５，加算器３１，ローパスフィルタ４１，４２で、垂直相関性を検出する論理回路が構成されている。
【００２２】
さらに、加算器１１，１２の出力信号が、イクスクルーシブ・オア回路５１に入力する。イクスクルーシブ・オア回路５１の出力信号は、オア回路５３にそのまま入力するとともに、遅延回路（Ｄ）５２で１サンプル周期遅延されてオア回路５３に入力する。オア回路５３の出力信号は、３入力１出力のナンド回路５６にそのまま入力するとともに、遅延回路５４で１サンプル周期遅延されてナンド回路５６に入力し、遅延回路５５でさらに１サンプル周期遅延されてナンド回路５６に入力する。ナンド回路５６の出力信号は、アンド回路６２に入力する。
【００２３】
また、イクスクルーシブ・オア回路５１の出力信号がイクスクルーシブ・オア回路５８に入力するとともに、遅延回路５２の出力信号が遅延回路５７で１サンプル周期遅延されてこのイクスクルーシブ・オア回路５８に入力する。イクスクルーシブ・オア回路５８の出力信号は、３入力１出力のノア回路６１にそのまま入力するとともに、遅延回路５９で１サンプル周期遅延されてノア回路６１に入力し、遅延回路６０でさらに１サンプル周期遅延されてノア回路６１に入力する。ノア回路６１の出力信号は、アンド回路６２に入力する。そして、アンド回路６２の出力信号αが演算部４３に供給される。
【００２４】
これらのイクスクルーシブ・オア回路５１〜アンド回路６２で、水平相関性を検出する論理回路が構成されている。輝度信号に一定レベル以上の中高域成分が含まれている場合には、オア回路５３の出力信号が「１」になることによってナンド回路５６の出力信号が「０」になるか、あるいはノア回路６１の出力信号が「０」になるので、アンド回路６２の出力信号α＝「０」になる。他方、輝度信号に一定レベル以上の中高域成分が含まれていない場合には、アンド回路６２の出力信号α＝「１」になる。
【００２５】
演算部４３では、ローパスフィルタ４１，４２の出力信号ｘ，yと、絶対値回路４４，４５，４６の出力信号|ａ|，|ｂ|，|ｃ|と、アンド回路６２の出力信号αとに基づき、次の表１に示す条件が満たされているか否かを判別するための演算が行われ、この演算結果に応じて切換スイッチ２６の制御が行われる。
【表１】
2005295397.tif 000003
【００２６】
ｙ＞２ｘ のときは、隣り合う３本の走査線のうち、上側の２本の走査線の信号（遅延線２の出力信号と遅延線３の出力信号）のほうに垂直相関性がないといえるので、下側の２本の走査線の信号（入力コンポジットビデオ信号（Ｙ＋Ｃ）と遅延線２の出力信号）から分離した信号Ｘを切換スイッチ２６に選択させる。
【００２７】
ｙ ＜ｘ／２ のときは、下側の２本の走査線の信号（入力コンポジットビデオ信号（Ｙ＋Ｃ）と遅延線２の出力信号）のほうに垂直相関性がないといえるので、上側の２本の走査線の信号（遅延線２の出力信号と遅延線３の出力信号）から分離した信号Ｙを切換スイッチ２６に選択させる。
【００２８】
これに対し、ｙ／２ ≦ ｘ ≦ ２ｙとなるのは、隣り合う３本の走査線の信号の全てに垂直相関性があるか、あるいは逆にこれらのいずれの信号にも垂直相関性がない場合である。ここで、隣接する３本の走査線のうちの中央の１走査線だけにクロマ信号が存在して上下の走査線にクロマ信号が存在しないような場合には|ａ|＋|ｃ|＜|ｂ| ／２となるが、この場合には入力コンポジットビデオ信号（Ｙ＋Ｃ），遅延線２の出力信号，遅延線３の出力信号のいずれにも垂直相関性がないといえる。そこで、|ａ|＋|ｃ|＜|ｂ| ／２であり、且つ、α＝１である（輝度信号の中高域成分が一定レベル以下である）ときは、バンドパスフィルタ２５の出力信号Ｚを切換スイッチ２６に選択させる。それ以外のときは、隣り合う３本の走査線の信号の全てに垂直相関性があると判断して、信号Ｗを切換スイッチ２６に選択させる。
【００２９】
切換スイッチ２６の出力信号は、クロマ信号Ｃとして出力端子２７から出力される。また、減算器２９で、バンドパスフィルタ６，２５等の信号遅延に相当する時間だけ遅延線（ＤＬ）２８によって遅延された遅延線（１ＨＤＬ）２の出力信号から、切換スイッチ２６の出力信号が減算される。そして、この減算器２９の出力信号が、輝度信号Ｙとして出力端子３０から出力される。
【特許文献１】特開平３−７９１１４号公報（第５〜６頁、第１図）
【特許文献２】特開２００２−３２５２６４号公報（段落番号０００２〜００１０、図２）
【発明の開示】
【発明が解決しようとする課題】
【００３０】
ところで、図９に示した従来のＹ／Ｃ分離回路では、輝度信号のレベルが一定で、途中の走査線からクロマ信号の位相が反転（補色に変化）したりあるいはクロマ信号のレベルが大きく変化するような場合には、演算部４３での判別結果に応じて切換スイッチ２６を制御することにより、輝度信号とクロマ信号とを良好に分離することが可能である。
【００３１】
図１０，図１１は、それぞれ、このように途中の走査線からクロマ信号の位相が反転する場，途中の走査線からクロマ信号のレベルが大きく変化する場合のクロマ信号の分離の様子を例示している。これらの図において、左端のａ〜Ｃは図９を用いて説明したのと同じ信号であり、横方向にこれらの信号の１走査線毎の変化を描いている。また、信号Ｘ，Ｙ，Ｗ，Ｚ には互いに異なる模様（Ｘは縦縞、Ｙは斜め縞、Ｗは無地、Ｚはドット模様）を付しており、各走査線においてどの信号が図９の切換スイッチ２６で選択されてクロマ信号Ｃとして出力されるかを、この模様で表している。
【００３２】
この図１０，図１１に示したいずれの走査線でも、クロマ信号Ｃの振幅は、本来の入力コンポジットビデオ信号中のクロマ信号（信号ｂ）の振幅と一致している。したがって、輝度信号とクロマ信号とが良好に分離されている。
【００３３】
しかし、図９に示したＹ／Ｃ分離回路では、例えば、輝度信号の中高域のレベルが低く、途中の走査線からクロマ信号の位相が変化し、且つクロマ信号のレベルが徐々に変化する（換言すればクロマ信号の垂直方向の周波数帯域が狭い）ような場合には、このクロマ信号の変化した走査線において信号劣化を生じてしまう。
【００３４】
図１２，図１３は、それぞれこのようにクロマ信号のレベルが徐々に変化する場合のクロマ信号の分離の様子を例示している。なお、ここでは、輝度信号は、中高域成分がなく直流成分のみとし、レベルの変化もないものとしている。左端のａ〜Ｃは図９を用いて説明したのと同じ信号であり、左端の最下部のＹｃは輝度信号Ｙへのクロマ信号Ｃの漏れ込み量を示している。横方向には、これらの信号の１走査線毎の変化を描いている。波形の上部に付した数値は、本来のクロマ信号の振幅値（最大値を１としたもの）を表している。また、信号Ｘ，Ｙ，Ｗ，Ｚ には互いに異なる模様（Ｘは縦縞、Ｙは斜め縞、Ｗは無地、Ｚはドット模様）を付しており、各走査線においてどの信号が図９の切換スイッチ２６で選択されてクロマ信号Ｃとして出力されるかを、この模様で表している。
【００３５】
図１２には、バンドパスフィルタ６の出力信号ａ（入力コンポジットビデオ信号から取り出されたクロマ信号）の振幅が、１走査線毎に１，５／６，１／３，１／３，５／６， １ というように変化していることを表している。また、図１３には、このクロマ信号の振幅が、１走査線毎に１，２／３，０，２／３，１ というように変化していることを表している。さらに、図１２，図１３には、このクロマ信号が振幅だけでなく位相も変化していることを表しており、図１２では振幅１／３と１／３との間で位相が反転し、また、図１３では振幅０を境にして位相が反転している。
【００３６】
ここで、図１２について説明する。前述のとおり、信号（ａ＋ｂ）は図９の加算器１１の出力信号であり、信号ｘはこの出力信号（ａ＋ｂ）が絶対値回路１３及びローパスフィルタ４１を通過したものである。絶対値回路及びローパスフィルタは信号の振幅を検出するためのものであるが、ここでは、動作を簡単に説明するために、絶対値回路及びローパスフィルタによる影響を考慮せずに、信号ｘをｘ＝（ａ＋ｂ）／２として求める（すなわち、信号ｘを、クロマ信号の振幅の最大値を１として正規化した値として表す）ものとする。同様に、信号ｙをｙ＝（ｂ＋ｃ）／２ として求めるものとする。
【００３７】
例えば図１２の左から３列目の水平周期では、ａ＝１／３，ｂ＝５／６，ｃ＝１なので、クロマ信号の位相を考慮して、ｘ＝（−１／３＋５／６）／２＝１／４ となる。同様に、y＝１／１２ となる。
【００３８】
前述の通り、Ｘ ＝（ｂ−ａ）／２ ，Ｙ ＝（ｂ−ｃ）／２ である。したがって、図１２の左から３列目の走査線では、ａ＝１／３， ｂ＝５／６ ，ｃ＝１なので、クロマ信号の位相を考慮して、Ｘ＝（５／６＋１／３）／２＝７／１２ ，Ｙ ＝（１＋５／６）／２＝１１／１２ となる。
【００３９】
また、前述の通り、Ｗ＝｛（ｂ−ａ）／２ ＋（ｂ−ｃ）／２｝／２＝（−ａ＋２×ｂ−ｃ）／４ なので、この３列目の走査線では、クロマ信号の位相を考慮して、Ｗ＝（１／３＋（５／６）×２＋１）／４＝３／４ となる。また、 Ｚ については、信号ｂの位相と振幅がそのまま出力となる。
【００４０】
この３列目の走査線では、斜め線の模様で識別しているように、信号Ｙが切換スイッチ２６で選択されてクロマ信号Ｃとして出力されている。しかし、本来の入力コンポジットビデオ信号中のクロマ信号（信号ｂ）の振幅が５／６であるのに対し、このクロマ信号Ｃの振幅は１１／１２なので、１／１２だけ大きくなっている。その結果、Ｙｃとして表しているように、このクロマ信号Ｃとは位相が反対の振幅１／１２のクロマ信号成分が輝度信号に漏れ込むことによるドット妨害が発生する。
【００４１】
この図１２の例では、左から３列目〜６列目の走査線で、Ｙｃ＝１／１２，１／２４，１／２４，１／１２となっているのでドット妨害が発生する。同様に、この図１３の例でも、左から３列目及び５列目の走査線で、Ｙｃ＝１／１２となっているのでドット妨害が発生する。
【００４２】
以上のように、図９に示した従来のＹ／Ｃ分離回路では、輝度信号の中高域のレベルが低く、途中の走査線からクロマ信号の位相が変化し、且つクロマ信号のレベルが徐々に変化する場合には、このクロマ信号の変化した走査線でドット妨害が発生してしまう。
【００４３】
また、図１２，図１３の例では途中の走査線からクロマ信号の位相が変化しているが、クロマ信号の位相が変化せずにクロマ信号のレベルのみが徐々に変化する場合にも、同様にドット妨害が発生してしまう。
【００４４】
本発明は、上述の点に鑑み、輝度信号の中高域成分のレベルが低く且つクロマ信号のレベルが徐々に変化するようなコンポジットビデオ信号から輝度信号とクロマ信号とを分離する場合のドット妨害を抑制することを課題としてなされたものである。
【課題を解決するための手段】
【００４５】
この課題を解決するために、本発明によるＹ／Ｃ分離回路は、入力コンポジットビデオ信号を所定水平期間ずつ順次遅延させる第１，第２の遅延手段を含んだコムフィルタと、この入力コンポジットビデオ信号からカラーサブキャリア周波数の帯域の成分を取り出すバンドパスフィルタと、このコムフィルタの出力信号とこのバンドパスフィルタの出力信号とを切り換えて出力する切換手段と、この入力コンポジットビデオ信号の垂直相関性を検出する垂直相関検出手段と、この垂直相関検出手段の検出結果に基づいてこの切換手段を制御する演算手段とを有するＹ／Ｃ分離回路において、この切換手段の出力信号とこのバンドパスフィルタの出力信号とを混合する混合手段と、この入力コンポジットビデオ信号，第１の遅延手段の出力信号，第２の遅延手段の出力信号に基づき、輝度信号の中高域成分のレベルを検出し、この中高域成分のレベルが低いほどこのバンドパスフィルタの出力信号の混合比が高くなるようにこの混合手段を制御するレベル検出手段とを備え、この第１の遅延手段の出力信号とこの混合手段の出力信号との差分を輝度信号として出力するようにしたことを特徴とする。
【００４６】
このＹ／Ｃ分離回路では、単に、従来のＹ／Ｃ分離回路のように、垂直相関検出手段によって垂直相関性が検出され、その検出結果に応じて演算手段が切換手段を制御することによってコムフィルタとバンドパスフィルタとが使い分けられるのではなく、切換手段の出力信号とバンドパスフィルタの出力信号とが混合手段で混合される。また、入力コンポジットビデオ信号及びコムフィルタ中の第１，第２の遅延手段の出力信号に基づいてレベル検出手段によって輝度信号の中高域成分のレベルが検出され、この中高域成分のレベルが低いほど混合手段でのバンドパスフィルタの出力信号の混合比が高くされる。そして、コムフィルタ中の第１の遅延手段の出力信号とこの混合手段の出力信号との差分が、輝度信号として出力される。
【００４７】
このように、輝度信号の中高域成分のレベルが低いほど、混合手段でのバンドパスフィルタの出力信号の混合比が高くなるので、混合手段の出力信号はクロマ信号をより多く取り出したものになる。これにより、輝度信号のほうに漏れ込むクロマ信号成分が減少するので、輝度信号の中高域成分のレベルが低く且つクロマ信号のレベルが徐々に変化する場合のドット妨害が抑制される。
【００４８】
また、逆に、輝度信号の中高域成分のレベルが高い場合には、混合手段でのバンドパスフィルタの出力信号の混合比が低くなるので、輝度信号の中高域成分が混合手段の出力信号に漏れ込むことによる画質の低下が抑制される。
【００４９】
なお、このＹ／Ｃ分離回路において、一例として、レベル検出手段は、カラーサブキャリアの中心周波数以外の周波数成分のレベルを中高域成分のレベルとして検出するとともに、クロマ信号のレベルと輝度信号のレベルとの差分を検出し、この差分が小さい場合には、中高域成分のレベルが低くても、バンドパスフィルタの出力信号の混合比が低くなるように混合手段を制御することが好適である。
【００５０】
輝度信号の中高域成分のレベルを検出するためにはコンポジットビデオ信号からカラーサブキャリアの中心周波数ｆｓｃの信号を除去する必要があるが、その際、輝度信号に中心周波数ｆｓｃと同じ周波数の高域成分が含まれていてもその高域成分のレベルは検出されなくなる。そのため、混合手段でのバンドパスフィルタの出力信号の混合比を高くすると、混合手段の出力信号に輝度信号のこの高域成分が漏れ込んでしまって画質が低下することがある。
【００５１】
そこで、このようにクロマ信号のレベルと輝度信号のレベルとの差分を検出し、この差分が小さい場合には、輝度信号に中心周波数ｆｓｃと同じ周波数の高域成分が含まれていると判断して混合手段でのバンドパスフィルタの出力信号の混合比を低くすることにより、輝度信号に含まれている中心周波数ｆｓｃと同じ周波数の高域成分が混合手段の出力信号に漏れ込むことによる画質の低下を抑制することができる。
【００５２】
また、このＹ／Ｃ分離回路において、一例として、レベル検出手段は、さらに、入力コンポジットビデオ信号及びコムフィルタ中の第１の遅延手段の出力信号の加算結果と、コムフィルタ中の第１，第２の遅延手段の出力信号の加算結果とに基づいて、クロマ信号の垂直方向の非相関性を検出し、この非相関性が一定以下である場合には、バンドパスフィルタの出力信号の混合比がゼロになるように混合手段を制御することが好適である。
【００５３】
輝度信号の中高域成分のレベルが低くても、単色のクロマ信号中にレベルが低く細かな輝度信号が存在するような画像の場合には、混合手段でバンドパスフィルタの出力信号を混合すると、細かな輝度信号が減衰してしまうので、ディテール感が損なわれて画質が低下する。
【００５４】
そこで、このようにクロマ信号の垂直方向の非相関性を検出し、この非相関性が一定以下場合には混合手段でのバンドパスフィルタの出力信号の混合比をゼロにすることにより、こうした細かな輝度信号の減衰を防止することができる。
【００５５】
また、このＹ／Ｃ分離回路において、一例として、切換手段の出力信号をクロマ信号として出力することが好適である。あるいは、コムフィルタの出力信号のみを切り換えて出力する第２の切換手段をさらに備え、演算手段で垂直相関検出手段の検出結果に基づいてこの第２の切換手段をも制御し、この第２の切換手段の出力信号をクロマ信号として出力することが一層好適である。
【００５６】
輝度信号にクロマ信号成分が漏れ込むことによるドット妨害を抑制するためには、前述のように混合手段でのバンドパスフィルタの出力信号の混合比を高くして、コムフィルタ中の第１の遅延手段の出力信号とこの混合手段の出力信号との差分を輝度信号として出力することが望ましい。しかし、クロマ信号に輝度信号成分が漏れ込むことによるクロスカラーを抑制するためには、逆にバンドパスフィルタよりもコムフィルタのほうが好ましい。
【００５７】
そこで、このように、クロマ信号のほうは、混合手段でバンドパスフィルタの出力信号を混合する前の切換手段の出力信号を用いるか、さらにはコムフィルタの出力信号のみを切り換えて出力する第２の切換手段の出力信号を用いることにより、ドット妨害を抑制することに加えて、クロスカラーを抑制することもできるようになる。
【００５８】
次に、本発明による画像表示装置は、入力コンポジットビデオ信号から輝度信号とクロマ信号とを分離し、この輝度信号及びクロマ信号を信号処理して画像を表示する画像表示装置において、この輝度信号とクロマ信号とを分離する分離回路は、入力コンポジットビデオ信号を所定水平期間ずつ順次遅延させる第１，第２の遅延手段を含んだコムフィルタと、この入力コンポジットビデオ信号からカラーサブキャリア周波数の帯域の成分を取り出すバンドパスフィルタと、このコムフィルタの出力信号とこのバンドパスフィルタの出力信号とを切り換えて出力する切換手段と、この入力コンポジットビデオ信号の垂直相関性を検出する垂直相関検出手段と、この垂直相関検出手段の検出結果に基づいてこの切換手段を制御する演算手段とを有するＹ／Ｃ分離回路において、この切換手段の出力信号とこのバンドパスフィルタの出力信号とを混合する混合手段と、この入力コンポジットビデオ信号，第１の遅延手段の出力信号，第２の遅延手段の出力信号に基づき、輝度信号の中高域成分のレベルを検出し、その中高域成分のレベルが低いほどこのバンドパスフィルタの出力信号の混合比が高くなるようにこの混合手段を制御するレベル検出手段とを備え、この第１の遅延手段の出力信号とこの混合手段の出力信号との差分を輝度信号として出力するようにしたことを特徴とする。
【００５９】
この画像表示装置に設けられたＹ／Ｃ分離回路では、単に、従来のＹ／Ｃ分離回路のように、垂直相関検出手段によって垂直相関性が検出され、その検出結果に応じて演算手段が切換手段を制御することによってコムフィルタとバンドパスフィルタとが使い分けられるのではなく、切換手段の出力信号とバンドパスフィルタの出力信号とが混合手段で混合される。また、入力コンポジットビデオ信号及びコムフィルタ中の第１，第２の遅延手段の出力信号に基づいてレベル検出手段によって輝度信号の中高域成分のレベルが検出され、この中高域成分のレベルが低いほど混合手段でのバンドパスフィルタの出力信号の混合比が高くされる。そして、コムフィルタ中の第１の遅延手段の出力信号とこの混合手段の出力信号との差分が、輝度信号として出力される。
【００６０】
このように、輝度信号の中高域成分のレベルが低いほど、混合手段でのバンドパスフィルタの出力信号の混合比が高くなるので、混合手段の出力信号はクロマ信号をより多く取り出したものになる。これにより、輝度信号のほうに漏れ込むクロマ信号成分が減少するので、輝度信号の中高域成分のレベルが低く且つクロマ信号のレベルが徐々に変化する場合のドット妨害が抑制される。
【００６１】
また、逆に、輝度信号の中高域成分のレベルが高い場合には、混合手段でのバンドパスフィルタの出力信号の混合比が低くなるので、輝度信号の中高域成分が混合手段の出力信号に漏れ込むことによる画質の低下が抑制される。
【発明の効果】
【００６２】
以上のように、本発明によれば、コムフィルタの出力信号とバンドパスフィルタの出力信号とを切り換えて出力する切換手段の出力信号とこのバンドパスフィルタの出力信号とを混合手段で混合するとともに、入力コンポジットビデオ信号及びコムフィルタ中の第１，第２の遅延手段の出力信号に基づいて輝度信号の中高域成分のレベルを検出し、この中高域成分のレベルが低いほどこの混合手段でのバンドパスフィルタの出力信号の混合比を高くし、コムフィルタ中の第１の遅延手段の出力信号とこの混合手段の出力信号との差分を輝度信号として出力するようにしたので、輝度信号の中高域成分のレベルが低く且つクロマ信号のレベルが徐々に変化するようなコンポジットビデオ信号から輝度信号とクロマ信号とを分離する場合のドット妨害を抑制することができ、且つ、逆に輝度信号の中高域成分のレベルが高い場合には輝度信号の中高域成分が混合手段の出力信号に漏れ込むことによる画質の低下を抑制することができるという効果が得られる。
【００６３】
また、輝度信号にカラーサブキャリアの中心周波数ｆｓｃと同じ周波数の高域成分が含まれていても、輝度信号のこの高域成分が混合手段の出力信号に漏れ込むことによる画質の低下を抑制することができるという効果が得られる。
【００６４】
また、単色のクロマ信号中にレベルが低く細かな輝度信号が存在するような画像の場合にも、この細かな輝度信号が減衰することによる画質の低下を防止することができるという効果が得られる。
【００６５】
また、ドット妨害を抑制することに加えて、クロスカラーを抑制することもできるという効果が得られる。
【発明を実施するための最良の形態】
【００６６】
以下、本発明を図面を用いて具体的に説明する。
【実施例１】
【００６７】
図１は、本発明を適用したＹ／Ｃ分離回路（ＮＴＳＣ方式のコンポジットビデオ信号から輝度信号とクロマ信号とを分離するもの）の構成例を示すブロック図である。このＹ／Ｃ分離回路は、例えばテレビジョン受信機内に設けられたものであり、図示しないフロントエンド部で復調・選局されたコンポジットビデオ信号がこのＹ／Ｃ分離回路に入力する。そして、このＹ／Ｃ分離回路で分離された輝度信号，クロマ信号が、それぞれ所定の映像信号処理を施された後、ＲＧＢ信号にマトリクス変換されて、ディスプレイを駆動する駆動回路に供給される。なお、Ｙ／Ｃ分離回路において、図９に示した従来のＹ／Ｃ分離システムと共通する部分には同一の符号を付している。
【００６８】
入力端子１に入力したコンポジットビデオ信号（Ｙ＋Ｃ）が、遅延線（１ＨＤＬ）２によって１水平期間遅延された後、遅延線３によってさらに１水平期間遅延される。また、入力コンポジットビデオ信号（Ｙ＋Ｃ）信号，遅延線２の出力信号，遅延線３の出力信号から、バンドパスフィルタ（ＢＰＦ）６，８，１０によってそれぞれカラーサブキャリア周波数の近傍以外の周波数帯域の成分が除去される。
【００６９】
そして、減算器４でバンドパスフィルタ８の出力信号ｂからバンドパスフィルタ６の出力信号ａが減算され、減算器４の出力信号がゲインコントローラ７５でゲインを２分の１に調整される。このゲインコントローラ７５の出力信号Ｘは、隣り合う３本の走査線のうちの下側の２本の走査線の信号からクロマ信号を分離したもの（図８のクロマ信号Ｃと同様な信号）となる。
【００７０】
また、減算器５でバンドパスフィルタ８の出力信号ｂからバンドパスフィルタ１０の出力信号ｃが減算され、減算器５の出力信号がゲインコントローラ７６でゲインを２分の１に調整される。このゲインコントローラ７６の出力信号Ｙは、隣り合う３本の走査線のうちの上側の２本の走査線の信号からクロマ信号を分離したものとなる。
【００７１】
また、ゲインコントローラ７５の出力信号とゲインコントローラ７６の出力信号とが加算器３１で加算され、加算器３１の出力信号がゲインコントローラ７７でゲインを２分の１に調整される。このゲインコントローラ７７の出力信号Ｗは、隣り合う３本の走査線の信号からクロマ信号を分離したものとなる。
【００７２】
これらの遅延線２，３，バンドパスフィルタ６，８，１０，減算器４，５，加算器３１，ゲインコントローラ７５〜７７で、隣り合う３本の走査線の信号からクロマ信号を分離するコムフィルタ（３ラインコムフィルタ）が構成されている。
【００７３】
また、バンドパスフィルタ８の出力信号ｂから、カラーサブキャリア周波数の帯域の成分がバンドパスフィルタ２５で取り出される。このバンドパスフィルタ２５が、従来から輝度信号とクロマ信号とを分離するために用いられているバンドパスフィルタに該当する。ゲインコントローラ７５，７６，７７の出力信号Ｘ，Ｙ，Ｗと、バンドパスフィルタ２５の出力信号Ｚとは、４入力１出力の切換スイッチ２６に入力する。
【００７４】
他方、加算器１１で、バンドパスフィルタ６の出力信号ａとバンドパスフィルタ８の出力信号ｂとが加算される。加算器１１の出力信号（ａ＋ｂ）は、絶対値回路（ＡＢＳ）１３で絶対値化された後、ローパスフィルタ（ＬＰＦ）４１で平滑化される。そして、ローパスフィルタ４１の出力信号ｘが、演算部４３に供給される。
【００７５】
また、加算器１２で、バンドパスフィルタ８の出力信号ｂとバンドパスフィルタ１０の出力信号ｃとが加算される。加算器１２の出力信号（ｂ＋ｃ）は、絶対値回路１６で絶対値化された後、ローパスフィルタ４２で平滑化される。そして、ローパスフィルタ４２の出力信号ｙが、演算部４３に供給される。
【００７６】
また、バンドパスフィルタ６，８，１０の出力信号ａ，ｂ，ｃが、それぞれ絶対値回路４４，４５，４６で絶対値化される。そして、絶対値回路４４，４５，４６の出力信号|ａ|，|ｂ|，|ｃ|が、演算部４３に供給される。
【００７７】
これらの加算器１１，１２，絶対値回路１３，１６，４４〜４６，バンドパスフィルタ６，８，１０，減算器４，５，加算器３１，ローパスフィルタ４１，４２で、垂直相関性を検出する論理回路が構成されている。
【００７８】
さらに、加算器１１，１２の出力信号が、イクスクルーシブ・オア回路５１に入力する。イクスクルーシブ・オア回路５１の出力信号は、オア回路５３にそのまま入力するとともに、遅延回路（Ｄ）５２で１サンプル周期遅延されてオア回路５３に入力する。オア回路５３の出力信号は、３入力１出力のナンド回路５６にそのまま入力するとともに、遅延回路５４で１サンプル周期遅延されてナンド回路５６に入力し、遅延回路５５でさらに１サンプル周期遅延されてナンド回路５６に入力する。ナンド回路５６の出力信号は、アンド回路６２に入力する。
【００７９】
また、イクスクルーシブ・オア回路５１の出力信号がイクスクルーシブ・オア回路５８に入力するとともに、遅延回路５２の出力信号が遅延回路５７で１サンプル周期遅延されてこのイクスクルーシブ・オア回路５８に入力する。イクスクルーシブ・オア回路５８の出力信号は、３入力１出力のノア回路６１にそのまま入力するとともに、遅延回路５９で１サンプル周期遅延されてノア回路６１に入力し、遅延回路６０でさらに１サンプル周期遅延されてノア回路６１に入力する。ノア回路６１の出力信号は、アンド回路６２に入力する。そして、アンド回路６２の出力信号αが演算部４３に供給される。
【００８０】
これらのイクスクルーシブ・オア回路５１〜アンド回路６２で、水平相関性を検出する論理回路が構成されている。輝度信号に一定レベル以上の中高域成分が含まれている場合には、オア回路５３の出力信号が「１」になることによってナンド回路５６の出力信号が「０」になるか、あるいはノア回路６１の出力信号が「０」になるので、アンド回路６２の出力信号α＝０になる。他方、輝度信号に一定レベル以上の中高域成分が含まれていない場合には、アンド回路６２の出力信号α＝１になる。
【００８１】
演算部４３では、ローパスフィルタ４１，４２の出力信号ｘ，yと、絶対値回路４４，４５，４６の出力信号|ａ|，|ｂ|，|ｃ|と、アンド回路６２の出力信号αとに基づき、次の表２に示す条件が満たされているか否かを判別するための演算が行われ、この演算結果に応じて切換スイッチ２６の制御が行われる。
【表２】
2005295397.tif 000004
【００８２】
ｙ＞２ｘ のときは、隣り合う３本の走査線のうち、上側の２本の走査線の信号（遅延線２の出力信号と遅延線３の出力信号）のほうに垂直相関性がないといえるので、下側の２本の走査線の信号（入力コンポジットビデオ信号（Ｙ＋Ｃ）と遅延線２の出力信号）から分離した信号Ｘを切換スイッチ２６に選択させる。
【００８３】
ｙ ＜ｘ／２ のときは、下側の２本の走査線の信号（入力コンポジットビデオ信号（Ｙ＋Ｃ）と遅延線２の出力信号）のほうに垂直相関性がないといえるので、上側の２本の走査線の信号（遅延線２の出力信号と遅延線３の出力信号）から分離した信号Ｙを切換スイッチ２６に選択させる。
【００８４】
これに対し、ｙ／２y ≦ ｘ ≦ ２となるのは、隣り合う３本の走査線の信号の全てに垂直相関性があるか、あるいは逆にこれらのいずれの信号にも垂直相関性がない場合である。ここで、隣接する３本の走査線のうちの中央の１走査線だけにクロマ信号が存在して上下の走査線にクロマ信号が存在しないような場合には|ａ|＋|ｃ|＜|ｂ| ／２となるが、この場合には入力コンポジットビデオ信号（Ｙ＋Ｃ），遅延線２の出力信号，遅延線３の出力信号のいずれにも垂直相関性がないといえる。そこで、|ａ|＋|ｃ|＜|ｂ| ／２であり、且つ、α＝１である（輝度信号の中高域成分が一定レベル以下である）ときは、バンドパスフィルタ２５の出力信号Ｚを切換スイッチ２６に選択させる。それ以外のときは、隣り合う３本の走査線の信号の全てに垂直相関性があると判断して、信号Ｗを切換スイッチ２６に選択させる。
【００８５】
さらに、バンドパスフィルタ６，８，１０の出力信号ａ，ｂ，ｃとローパスフィルタ４１，４２の出力信号ｘ，ｙとが、レベル検出部８０に入力する。そして、切換スイッチ２６の出力信号がゲインコントローラ７１に入力するとともに、バンドパスフィルタ２５の出力信号Ｚはゲインコントローラ７２にも入力し、これらのゲインコントローラ７１，７２の係数（１−ｋ），ｋ（但し０≦ｋ≦１）がそれぞれレベル検出部８０によって制御される。
【００８６】
図２は、このレベル検出部８０の構成例を示すブロック図である。入力端子８１に入力した図１のバンドパスフィルタ６の出力信号ａが、トラップフィルタ８６に送られる。また、入力端子８２に入力した図１のバンドパスフィルタ１０の出力信号ｃが、トラップフィルタ８９に送られる。トラップフィルタ８６，８９は、例えば（１ ＋ Ｚ−２）／２ （但しＺはサンプル周期）で表されるフィルタであり、カラーサブキャリアの中心周波数ｆｓｃ（ＮＴＳＣ方式では３．５７９５４５ＭＨｚ）の帯域の信号を通過させないように働く。
【００８７】
トラップフィルタ８６，８９の出力信号は、それぞれ絶対値回路８７，９０で絶対値化された後、例えば（１ ＋ ２ Ｚ−１ ＋ Ｚ−２）／４ で表されるような高域周波数成分を減衰させるローパスフィルタ（ＬＰＦ）８８，９１で平滑化されて、加算器１００で互いに加算される。
【００８８】
加算器１００の出力信号は、ゲインコントローラ１０１で所定の係数ｇを掛けることによってレベルを０以上１以下に調整される。そして、減算器１０５で固定値出力回路１０４の出力信号「１」からこのゲインコントローラ１０１の出力信号Ｙｇ（０≦Ｙｇ≦１）が減算され、減算器１０５の出力信号（１−Ｙｇ）が最小値選択回路１０６に供給される。
【００８９】
これらのトラップフィルタ８６，８９，絶対値回路８７，９０，ローパスフィルタ８８，９１，加算器１００，ゲインコントローラ１０１，減算器１０５で、入力コンポジットビデオ信号（Ｙ＋Ｃ）に含まれる輝度信号の中高域成分（図１のバンドパスフィルタ６，１０を通過したカラーサブキャリア周波数の近傍の周波数帯域の成分のうち、カラーサブキャリアの中心周波数ｆｓｃ以外の帯域の成分）を検出するレベル検出回路が構成されている。
【００９０】
この輝度信号の中高域成分が低い（すなわち輝度信号が平坦である）場合には、信号Ｙｇが０に近くなるので信号（１−Ｙｇ）は１に近くなる。逆に、この輝度信号の中高域成分が高い場合には、信号Ｙｇが１に近くなるので信号（１−Ｙｇ）は０に近くなる。
【００９１】
他方、入力端子８１に入力したバンドパスフィルタ６の出力信号ａと、入力端子８２に入力したバンドパスフィルタ１０の出力信号ｃとが加算器９２で加算され、加算器９２の出力信号がゲインコントローラ１２１でゲインを２分の１に調整される。
【００９２】
そして、入力端子８３に入力した図１のバンドパスフィルタ８の出力信号ｂと、ゲインコントローラ１２１の出力信号とが加算器９３で加算される。また、減算器９６で、入力端子８３に入力したバンドパスフィルタ８の出力信号ｂからゲインコントローラ１２１の出力信号が減算される。
【００９３】
この加算器９３，減算器９６の出力信号が、それぞれ絶対値回路９４，９７で絶対値化された後、ローパスフィルタ９５，９８で平滑化されることにより、入力コンポジットビデオ信号中の輝度信号，クロマ信号のレベルを示す信号 |Ｙ’|，  |Ｃ’|が求められる。
【００９４】
そして、減算器１０２でこの信号 |Ｃ’|から信号  |Ｙ’|が減算され、減算器１０２の出力信号 |Ｃ’|− |Ｙ’|がゲインコントローラ１０３で所定の係数ｈを乗算することによってレベルを０以上１以下に調整され、このゲインコントローラ１０３の出力信号Ｃｈ（０≦Ｃｈ≦１）が最小値選択回路１０６に供給される。
【００９５】
これらの加算器９２，９３，減算器９６，１０２，絶対値回路９４，９７，ローパスフィルタ９５，９８，ゲインコントローラ１０３，１２１で、クロマ信号のレベルと輝度信号のレベルとの差分を検出する回路が構成されている。
【００９６】
最小値選択回路１０６では、入力した信号（１−Ｙｇ），Ｃｈのうちの値の小さいほうの信号が選択して出力される。この最小値選択回路１０６の出力信号は、２入力１出力の切換スイッチ１０８の一方の入力端子に入力する。切換スイッチ１０８のもう一方の入力端子には、固定値出力回路１０７の出力信号「０」が入力する。
【００９７】
他方、入力端子８４，８５に入力した図１のローパスフィルタ４１，４２の出力信号ｘ，ｙのレベルが、それぞれ比較器１０９，１１０で閾値出力回路１１１からの所定の閾値Ｔｈと比較される。比較器１０９，１１０は、それぞれこの信号ｘ，ｙのレベルが閾値Ｔｈよりも大きいときに出力信号が「１」になる。
【００９８】
比較器１０９，１１０の出力信号は、オア回路１１２に入力する。切換スイッチ１０８は、このオア回路１１２の出力信号が「１」であるときには最小値選択回路１０６の出力信号を選択し、このオア回路１１２の出力信号が「０」であるときには固定値出力回路１０７の出力信号「０」を選択するように制御される。
【００９９】
これらの比較器１０９，１１０，閾値出力回路１１１，オア回路１１２で、クロマ信号の垂直方向の非相関性を検出する回路が構成されている。図１のローパスフィルタ４１，４２の出力信号ｘ，ｙのうちのいずれかのレベルが閾値Ｔｈよりも大きい場合には、クロマ信号に一定以上の垂直方向の非相関性があるといえるが、この場合にはオア回路１１２の出力信号が「１」になるので切換スイッチ１０８で最小値選択回路１０６の出力信号が選択される。これに対し、この信号ｘ，ｙのいずれのレベルも閾値Ｔｈ以下である場合には、クロマ信号に一定以上の垂直方向の非相関性がないといえるが、この場合にはオア回路１１２の出力信号が「０」になるので切換スイッチ１０８で信号「０」が選択される。
【０１００】
切換スイッチ１０８の出力信号は、図１のゲインコントローラ７１，７２の係数（１−ｋ），ｋにおけるｋの値を決定する信号として、レベル検出部８０の出力端子１１３から出力して、これらのゲインコントローラ７１，７２に与えられる。
【０１０１】
図１に示すように、ゲインコントローラ７１，７２の出力信号は、加算器７３で加算される。そして、この加算器７３の出力信号が、クロマ信号ＣとしてこのＹ／Ｃ分離回路の出力端子２７から出力される。
【０１０２】
また、減算器２９で、バンドパスフィルタ６，２５等の信号遅延に相当する時間だけ遅延線（ＤＬ）２８によって遅延された遅延線２の出力信号から、加算器７３の出力信号が減算される。そして、この減算器２９の出力信号が、輝度信号Ｙとして出力端子３０から出力される。
【０１０３】
次に、このＹ／Ｃ分離回路での輝度信号とクロマ信号との分離の様子を、クロマ信号のレベルが従来例として図１２，図１３に示したように徐々に変化する場合について説明する。
【０１０４】
図３，図４は、それぞれクロマ信号のレベルが図１２，図１３に示したように変化する場合のクロマ信号の分離の様子を示している。左端のａ〜Ｃは図１，図２を用いて説明したのと同じ信号であり、左端の最下部のＹｃは輝度信号Ｙへのクロマ信号Ｃの漏れ込み量を示している。横方向には、これらの信号の１走査線毎の変化を描いている。波形の上部に付した数値は、本来のクロマ信号の振幅値（最大値を１としたもの）を表している。また、信号Ｘ，Ｙ，Ｗ，Ｚ には互いに異なる模様（Ｘは縦縞、Ｙは斜め縞、Ｗは無地、Ｚはドット模様）を付しており、各走査線においてどの信号が図９の切換スイッチ２６で選択されてクロマ信号Ｃとして出力されるかを、この模様で表している。
【０１０５】
なお、図１２，図１３の例では輝度信号は中高域成分がなく直流成分のみであるものとしているので、信号（１−Ｙｇ）（図２の減算器１０５の出力信号）は常に１になる。また、ここでは、信号Ｃｈ（図２のゲインコントローラ１０３の出力信号）の値は、図２の減算器１０２の出力信号 |Ｃ’|− |Ｙ’|を |Ｗ|− |ｂ−Ｗ|とするとともに図２のゲインコントローラ１０３の係数ｈを１として計算している。また、ここでは、図２の閾値出力回路１１１からの閾値Ｔｈの値を１／８としている。
【０１０６】
例えば図３の左から３列目の走査線では、 |Ｗ|＝３／４なので |ｂ−Ｗ|＝５／６−３／４＝１／１２となり、したがってＣｈ＝３／４−１／１２＝２／３となる。（１−Ｙｇ）＝１なので、図２の最小値選択回路１０６ではこのＣｈ＝２／３が選択される。
【０１０７】
また、この３列目の走査線では、閾値Ｔｈ＝１／８であることからＸ＞Ｔｈとなるので、図２の比較器１０９の出力信号が「１」になり、図２のオア回路１１２の出力信号が「１」になるので、図２の切換スイッチ１０８で最小値選択回路１０６の出力信号が選択される。
【０１０８】
したがって、切換スイッチ１０８でＣｈ＝２／３が選択されてレベル検出部８０から係数ｋとして出力されるので、図１のゲインコントローラ７１，７２では、切換スイッチ２６で選択された信号Ｙ＝１１／１２，バンドパスフィルタ２５の出力信号Ｚ＝５／６にそれぞれ係数（１−２／３），２／３が掛けられる。このとき、加算器７３の出力信号は１１／１２×１／３＋５／６×２／３＝３１／３６となるので、このＹ／Ｃ分離回路から出力されるクロマ信号Ｃの振幅は３１／３６になる。
【０１０９】
本来の入力コンポジットビデオ信号中のクロマ信号（信号ｂ）の振幅は５／６なので、このクロマ信号Ｃの振幅はそれよりも３１／３６−５／６＝１／３６だけ大きくなっている。その結果、Ｙｃとして表しているように、このクロマ信号Ｃとは位相が反対の振幅１／３６のクロマ信号成分が輝度信号に漏れ込んでいる。
【０１１０】
しかし、図１２に示したように、従来のＹ／Ｃ分離回路ではこの３列目の走査線では振幅１／１２のクロマ信号成分が輝度信号に漏れ込んでいるので、このクロマ信号成分の漏れ込み量が３分の１に（すなわち約−１０ｄＢ）改善されている。
【０１１１】
同様に、左から４列目，５列目，６列目の走査線でも、クロマ信号成分の漏れ込み量がそれぞれ２分の１（約−１０ｄＢ），２分の１，３分の１に改善されている。また、図４の例でも、図１３に示したようにクロマ信号成分が輝度信号に漏れ込んでいた左から３列目，５列目の走査線で、クロマ信号成分の漏れ込み量が２分の１に改善されている。
【０１１２】
このように、このＹ／Ｃ分離回路では、クロマ信号のレベルが図１２，図１３に示したように徐々に変化する場合に、輝度信号へのクロマ信号成分の漏れ込み量が約−６〜−１０ｄＢ改善されるので、クロマ信号成分が輝度信号に漏れ込むことによるドット妨害が抑制される。そして、この漏れ込み量の改善の度合いは、図２のゲインコントローラ１０１，１０３の係数ｇ，ｈや閾値出力回路１１１からの閾値Ｔｈの値を調整することによって変化させることが可能である。
【０１１３】
なお、図１２，図１３の例では、途中の走査線からクロマ信号の位相が変化しているが、クロマ信号の位相が変化せずにクロマ信号のレベルのみが徐々に変化する場合にも、同様にしてドット妨害が抑制される。
【０１１４】
また、図１２，図１３の例では輝度信号は中高域成分がなく直流成分のみであるものとしているので、信号（１−Ｙｇ）は常に１になる。これに対し、輝度信号の中高域成分が存在する場合には（１−Ｙg）＜１ となるが、その場合にも、この中高域成分のレベルが低いときには、Ｃh＜（１−Ｙg ）となってやはり最小値選択回路１０６で信号Ｃｈのほうが選択される。
【０１１５】
また、輝度信号の中高域成分のレベルが高い場合にはＣh＞（１−Ｙg ）となって最小値選択回路１０６で信号（１−Ｙｇ）のほうが選択されるようになるが、この場合には、レベル検出部８０によって決定されるｋ＝（１−Ｙg ）の値が小さくなることにより、ゲインコントローラ７２の係数ｋの値が小さくなるので、ゲインコントローラ７１，７２及び加算器７３から成る混合手段での切換スイッチ２６の出力信号に対するバンドパスフィルタ２５の出力信号の混合比が低くなる。
【０１１６】
このように、このＹ／Ｃ分離回路では、輝度信号の中高域成分のレベルが低いほど、ゲインコントローラ７１，７２及び加算器７３から成る混合回路での切換スイッチ２６の出力信号に対するバンドパスフィルタ２５の出力信号の混合比が高くなるので、この混合回路７１，７２及び７３の出力信号はクロマ信号をより多く取り出したものになる。これにより、減算器２９から出力される輝度信号Ｙのほうに漏れ込むクロマ信号成分が減少するので、輝度信号の中高域成分のレベルが低く且つクロマ信号のレベルが徐々に変化する場合のドット妨害が抑制される。
【０１１７】
また、逆に、輝度信号の中高域成分のレベルが高い場合には、この混合回路７１，７２及び７３でのバンドパスフィルタ２５の出力信号の混合比が低くなるので、輝度信号の中高域成分がこの混合回路の出力信号に漏れ込むことによる画質の低下（図１の減算器２９から出力される輝度信号Ｙの高域成分が減衰してる画像がぼける現象）が抑制される。
【０１１８】
また、輝度信号の中高域成分のレベルを検出するためにはコンポジットビデオ信号からカラーサブキャリアの中心周波数ｆｓｃの信号を除去する必要があるため、レベル検出部８０のうちの図２のトラップフィルタ８６，８９，絶対値回路８７，９０，ローパスフィルタ８８，９１，加算器１００，ゲインコントローラ１０１，減算器１０５で構成されるレベル検出回路では、中心周波数ｆｓｃ以外の周波数成分のレベルを中高域成分のレベルとして検出している。したがって、例えば縦縞模様の画像のように、輝度信号に中心周波数ｆｓｃと同じ周波数の高域成分が含まれていても、このレベル検出回路ではその高域成分のレベルが検出されずに減算器１０５の出力信号（１−Ｙｇ）が１に近くなることがある。
【０１１９】
そのため、信号（１−Ｙｇ）だけを値ｋを示す信号として用いて混合回路７１，７２及び７３でのバンドパスフィルタ２５の出力信号の混合比を高くすると、混合回路７１，７２及び７３の出力信号にこの輝度信号の高域成分が漏れ込んでしまって画質が低下することがある。
【０１２０】
しかし、レベル検出部８０では、図２の加算器９２，９３，減算器９６，１０２，絶対値回路９４，９７，ローパスフィルタ９５，９８，ゲインコントローラ１０３，１２１でクロマ信号のレベルと輝度信号のレベルとの差分を検出している。そして、この差分が小さい場合には、ゲインコントローラ１０３の出力信号Ｃｈの値が１よりも十分に小さくなり、最小値選択回路１０６でこの信号Ｃｈのほうが選択されることにより、混合回路７１，７２及び７３でのバンドパスフィルタ２５の出力信号の混合比が低くなる。
【０１２１】
このように、クロマ信号のレベルと輝度信号のレベルとの差分を検出し、その差分が小さい場合には、輝度信号に中心周波数ｆｓｃと同じ周波数の高域成分が含まれていると判断して混合回路７１，７２及び７３でのバンドパスフィルタ２５の出力信号の混合比を低くすることにより、輝度信号に含まれている中心周波数ｆｓｃと同じ周波数の高域成分が混合回路７１，７２及び７３の出力信号に漏れ込むことによる画質の低下が抑制される。
【０１２２】
また、輝度信号の中高域成分のレベルが低くても、単色のクロマ信号中にレベルが低く細かな輝度信号が存在するような画像（例えば人の肌や細かなざらつきのある壁の画像等）の場合には、混合回路７１，７２及び７３でバンドパスフィルタ２５の出力信号を混合すると、細かな輝度信号が減衰してしまうので、ディテール感が損なわれて画質が低下する。
【０１２３】
これに対し、レベル検出部８０では、図２の比較器１０９，１１０，閾値出力回路１１１，オア回路１１２で、クロマ信号の垂直方向の非相関性を検出している。そして、この非相関性が一定以下である場合には、切換スイッチ１０８で信号「０」が選択されることにより、ｋの値が０になるので、混合回路７１，７２及び７３でのバンドパスフィルタ２５の出力信号の混合比がゼロになる。
【０１２４】
このように、クロマ信号の垂直方向の非相関性を検出し、この非相関性が一定以下である場合には混合回路７１，７２及び７３でのバンドパスフィルタ２５の出力信号の混合比をゼロにすることにより、単色のクロマ信号中にレベルが低く細かな輝度信号が存在するような画像の場合にも、この細かな輝度信号が減衰することによる画質の低下が防止される。
【実施例２】
【０１２５】
次に、図５は、本発明を適用したＹ／Ｃ分離回路の別の構成例を示すブロック図であり、図１に示したＹ／Ｃ分離システムと共通する部分には同一の符号を付している。
【０１２６】
このＹ／Ｃ分離回路では、加算器７３の出力信号ではなく、切換スイッチ２６の出力信号がクロマ信号Ｃとして出力端子２７から出力される。それ以外の部分の構成は、図１に示したＹ／Ｃ分離システムと同じであるので、重複説明を省略する。
【０１２７】
輝度信号にクロマ信号成分が漏れ込むことによるドット妨害を抑制するためには、〔実施例１〕で説明したように、混合手段７１，７２及び７３でのバンドパスフィルタ２５の出力信号の混合比を高くして、コムフィルタ中の遅延線（１ＨＤＬ）２の出力信号と混合手段７１，７２及び７３の出力信号との差分を輝度信号Ｙとして出力することが望ましい。しかし、クロマ信号に輝度信号成分が漏れ込むことによるクロスカラーを抑制するためには、逆にバンドパスフィルタよりもコムフィルタのほうが好ましい。
【０１２８】
そこで、このように、クロマ信号Ｃのほうは、混合手段７１，７２及び７３でバンドパスフィルタ２５の出力信号を混合する前の切換スイッチ２６のの出力信号を用いることにより、ドット妨害が抑制されることに加えて、クロスカラーも抑制されるようになる。
【実施例３】
【０１２９】
次に、図６は、本発明を適用したＹ／Ｃ分離回路のさらに別の構成例を示すブロック図であり、図１に示したＹ／Ｃ分離システムと共通する部分には同一の符号を付している。
【０１３０】
このＹ／Ｃ分離回路では、切換スイッチ２６の他に、ゲインコントローラ７５，７６，７７の出力信号Ｘ，Ｙ，Ｗのみが入力する３入力１出力の切換スイッチ７４が設けられている。この切換スイッチ７４も演算部４３によって制御されるが、演算部４３は、切換スイッチ７４に対しては、前出の表２に示したｙ／２ ≦ ｘ ≦ ２ y の条件が満たされた場合には常に信号Ｗを選択させる。
【０１３１】
そして、この切換スイッチ７４の出力信号が、クロマ信号Ｃとして出力端子２７から出力される。それ以外の部分の構成は、図１に示したＹ／Ｃ分離システムと同じであるので、重複説明を省略する。
【０１３２】
〔実施例２〕で説明したように、クロマ信号に輝度信号成分が漏れ込むことによるクロスカラーを抑制するためには、バンドパスフィルタよりもコムフィルタのほうが好ましい。そこで、このように、クロマ信号Ｃのほうは全くバンドパスフィルタ２５を用いずにコムフィルタのみを用いて分離することにより、クロスカラーが一層抑制されるようになる。
【実施例４】
【０１３３】
次に、図７は、本発明を適用したＹ／Ｃ分離回路のさらに別の構成例を示すブロック図であり、図１に示したＹ／Ｃ分離システムと共通する部分には同一の符号を付している。
【０１３４】
このＹ／Ｃ分離回路は、ＰＡＬ方式のコンポジットビデオ信号から輝度信号とクロマ信号とを分離するものであり、ＰＡＬ方式ではカラーサブキャリアの位相が２水平期間毎に１８０°ずれることから、図１の遅延線２に代えて、入力コンポジットビデオ信号（Ｙ＋Ｃ）を順次１水平期間ずつ遅延させる遅延線（１ＨＤＬ）２ａ及び２ｂが設けられるとともに、図１の遅延線３に代えて、遅延線２ｂの出力信号を順次１水平期間ずつ遅延させる遅延線３ａ及び３ｂが設けられている。それ以外の部分の構成は、図１に示したＹ／Ｃ分離システムと同じであるので、重複説明を省略する。
【０１３５】
このＹ／Ｃ分離回路でも、〔実施例１〕で説明したのと全く同様にして、輝度信号の中高域成分のレベルが低く且つクロマ信号のレベルが徐々に変化する場合のドット妨害が抑制される。
【０１３６】
なお、以上の例では、レベル検出部８０で、クロマ信号のレベルと輝度信号のレベルとの差分が検出し、この差分が小さい場合には、図２のゲインコントローラ１０３の出力信号Ｃｈの値が１よりも十分に小さくなり、減算器１０５の出力信号（１−Ｙｇ）ではなくこの信号Ｃｈのほうが図２の最小値選択回路１０６で選択されて切換スイッチ１０８に入力するようになっている。しかし、輝度信号にカラーサブキャリアの中心周波数ｆｓｃと同じ周波数の高域成分が含まれる可能性がないような場合（例えばＶＴＲから出力されるコンポジットビデオ信号の場合等）には、このようにクロマ信号のレベルと輝度信号のレベルとの差分を検出することなく、信号（１−Ｙｇ）をそのまま図２の切換スイッチ１０８に入力させるようにしてもよい。
【０１３７】
また、以上の例では、Ｙ／Ｃ分離回路に、入力コンポジットビデオ信号の垂直相関性，水平相関性をそれぞれ検出する論理回路が設けられ、これらの論理回路の検出結果に基づいて演算部４３で切換スイッチ２６を制御するようになっている。しかし、これに限らず、水平相関性を検出する論理回路を設けず、垂直相関性を検出する論理回路の検出結果のみに基づいて演算部４３で切換スイッチ２６を制御するようにしてもよい。また、垂直相関性を検出する論理回路の構成や、演算部４３での判別内容は、以上の各実施例に示したのとは異なるものであってもよい。
【０１３８】
また、以上の例では、本発明によるＹ／Ｃ分離回路をテレビジョン受信機内に設けるものとして説明を行った。しかし、本発明によるＹ／Ｃ分離回路は、テレビジョン受信機以外の画像表示装置内や、ＤＶＤレコーダのような映像記録装置内に設けてもよいことはもちろんである。
【図面の簡単な説明】
【０１３９】
【図１】本発明を適用したＹ／Ｃ分離回路の構成例を示すブロック図である。
【図２】図１のレベル検出部の構成例を示すブロック図である。
【図３】図１のＹ／Ｃ分離回路での輝度信号とクロマ信号との分離の様子を例示する図である。
【図４】図１のＹ／Ｃ分離回路での輝度信号とクロマ信号との分離の様子を例示する図である。
【図５】本発明を適用したＹ／Ｃ分離回路の構成例を示すブロック図である。
【図６】本発明を適用したＹ／Ｃ分離回路の構成例を示すブロック図である。
【図７】本発明を適用したＹ／Ｃ分離回路の構成例を示すブロック図である。
【図８】コムフィルタの構成例を示すブロック図である。
【図９】従来のＹ／Ｃ分離回路の構成例を示すブロック図である。
【図１０】図９のＹ／Ｃ分離回路での輝度信号とクロマ信号との分離の様子を例示する図である。
【図１１】図９のＹ／Ｃ分離回路での輝度信号とクロマ信号との分離の様子を例示する図である。
【図１２】図９のＹ／Ｃ分離回路での輝度信号とクロマ信号との分離の様子を例示する図である。
【図１３】図９のＹ／Ｃ分離回路での輝度信号とクロマ信号との分離の様子を例示する図である。
【符号の説明】
【０１４０】
１  入力端子、  ２  遅延線、  ３  遅延線、  ４  減算器、  ５  減算器、  ６  バンドパスフィルタ、  ８  バンドパスフィルタ、  １０  バンドパスフィルタ、  １１  加算器、  １２  加算器、  ２５   バンドパスフィルタ、  ２６  切換スイッチ、  ２７  出力端子、  ２９  減算器、  ３０  出力端子、  ４３  演算部、  ７１  ゲインコントローラ、  ７２  ゲインコントローラ、  ７３  加算器、  ７４   切換スイッチ、  ８０  レベル検出部、  ８６  トラップフィルタ、  ８９  トラップフィルタ、  ９２  加算器、  ９３  加算器、  ９６  減算器、  １００  加算器、  １０２  減算器、  １０５  減算器、  １０６  最小値選択回路、  １０８  切換スイッチ、  １０９  比較器、  １１０  比較器、  １１２  オア回路
【図１】
2005295397.tif 000005
【図２】
2005295397.tif 000006
【図３】
2005295397.tif 000007
【図４】
2005295397.tif 000008
【図５】
2005295397.tif 000009
【図６】
2005295397.tif 000010
【図７】
2005295397.tif 000011
【図８】
2005295397.tif 000012
【図９】
2005295397.tif 000013
【図１０】
2005295397.tif 000014
【図１１】
2005295397.tif 000015
【図１２】
2005295397.tif 000016
【図１３】
2005295397.tif 000017